(57)【要約】【課題】足元を照らす機能を有すると共に、極力眩しさを感じさせないようにすることが可能で、かつ安全な照明器具を提供する。【解決手段】長尺状をなし縦方向に設置される把持部材２０と；把持部材の下端部に取り付けられ、下方を照射する光源部１１と；を具備する照明器具１０を構成する。【選択図】        図１
2008103149.tif 000002
【特許請求の範囲】
【請求項１】
長尺状をなし縦方向に設置される把持部材と；
把持部材の下端部に取り付けられ、下方を照射する光源部と；
を具備することを特徴とする照明器具。
【請求項２】
前記光源部は、光軸の傾き角度が可変となるように把持部材に取り付けられることを特徴とする請求項１に記載の照明器具。
【請求項３】
前記光源部は、把持部材の被設置面から離間して把持部材に取り付けられることを特徴とする請求項１または２に記載の照明器具。
【請求項４】
前記光源部は、把持部材の長手方向に可動することを特徴とする請求項１ないし３いずれか一に記載の照明器具。
【発明の詳細な説明】
【技術分野】
【０００１】
本発明は、足元等の床面を照明する照明器具に関する。
【背景技術】
【０００２】
従来、例えば、病院における病室や医療福祉施設の療養室等では、患者が夜間にトイレなどに行く際、部屋を暗闇にしないために常夜灯や足元灯を設置して患者の安全を図っている。
【０００３】
この種の常夜灯は、部屋の天井に設置された照明器具に常夜灯を設けたり、壁面の下方に足元灯を設置して夜間点灯することが行われている。
【０００４】
しかしながら、これらの照明器具では光がベッドで就寝している患者の目に入り、眩しさを感じることで患者の就寝が妨げられる恐れがある。
【０００５】
また、足元灯は通常、床面から３００ｍｍ程度の高さの壁面に設置されるが、病院等の患者用ベッドは通常枕側が壁面方向となるように設置されるので、壁面から離間したベッドサイドの床面全体を照明することは難しく、夜間に患者のベッドにおける足元を広範囲に照明する方法がなかった。
【０００６】
このため、ベッドのサイドパネルに足元を照らす照明器具を設置し、患者の移動動作を検知して、患者がベッドから降りる動作を行ったときにのみ、足元灯を点灯させるように構成した照明システムがある（例えば、特許文献１参照）。
【０００７】
また、一般家庭においても、階段や廊下等の足元を効果的に照明するために、手摺に照明器具を設置したものが知られている（例えば、特許文献２参照）。
【特許文献１】特開２００４−２４３７０号公報
【特許文献２】特開平１０−２９９２１１号公報
【発明の開示】
【発明が解決しようとする課題】
【０００８】
しかしながら、特許文献１に示されるものは、患者の移動動作を検知するために、ベッドに荷重測定ユニット等の複雑なセンサーなどを設置する必要があり、ベッドの構成が複雑化し、システムとして大掛かりで高価な設備投資が必要となる問題が生じる。
【０００９】
さらに、照明ユニットがベッドのサイドパネルの裏側に設けられているので、照明が不要なベッドの下側をも照らしてしまい照明効率が悪くなる問題が生じる。
【００１０】
足元の照明も、足元直下の狭い範囲でしか照明することができず、ベッドサイドに沿った足元照明を行うことができない。
【００１１】
また、特許文献２に示されるものは、足元周辺部を照明することができるが、階段や廊下等の照明であり、寝室等における就寝を妨げる要因を考慮した構成のものではなく、さらに手摺に照明器具を設置することで、手で握る手摺自体が照明器具となっているため、万一の場合に感電等の恐れもあり安全性に問題があった。
【００１２】
また、手摺自体の機能を阻害したり、照明器具自体にも手摺の機能をもたせる必要があり、強固な照明器具を構成しなければならない問題も生じる。
【００１３】
このため、この種の照明器具においては、本来の足元を照らす機能を十分に有すると共に、眩しさを感じさせずに就寝を妨げる恐れがなく、かつ安全な照明器具を如何に実現するかが重要な課題となっている。
【００１４】
本発明は、上述した課題に鑑みなされたもので、足元を照らす機能を有すると共に、極力眩しさを感じさせないようにすることが可能で、かつ手摺等の把持部材の使用者に安全な照明器具を提供しようとすることを目的とする。
【課題を解決するための手段】
【００１５】
上記の目的を達成するために、請求項１に記載の照明器具の発明は、長尺状をなし縦方向に設置される把持部材と；把持部材の下端部に取り付けられ、下方を照射する光源部と；を具備することを特徴とする。
【００１６】
本発明によれば、照明器具は、把持部材の下端部に取り付けられ、下方を照射する光源部により、本来の足元を照らす機能を有すると共に、縦方向に設置される把持部材に取り付けられるので、光源部を低く設置することが可能となり、眩しさを感じさせないように照明器具を配設することが可能となる。さらに光源部は、把持部材の手で直接握ることのない下端部に取り付けられているので、感電等の恐れがなく安全な照明器具が構成される。
【００１７】
本発明において、長尺状をなし縦方向に設置される把持部材は、例えば、病室等において、患者が起き上がり移動するときに使用するため、ベッド頭部に近い壁面に縦方向に設置された片手で握ることが可能な手摺が好ましいが、病室内を移動するために壁面に縦方向に設置された手摺でも、さらに病室の出入り口に近い壁面に縦方向に設置された手摺であってもよい。
【００１８】
さらに、手摺に限らず、例えば、病室等のドアに縦方向に設置されたハンドルでもよく、要は人が把持するための縦方向に設置された全ての部材が許容される。
【００１９】
また、把持部材の長さは、縦方向に少なくとも片手で握ることのできる全ての把持部材が許容される。
また、病室等に限らず、一般家庭、オフィス、ホテル等における寝室、階段、廊下等に設置された手摺、ハンドル等の把持部材であってもよい。
【００２０】
縦方向に設置される把持部材は、例えば、垂直な壁面に対して鉛直方向に設置されることが好ましいが、用途、使用態様などに合わせ、鉛直方向に対して斜めに設置されていてもよく、実質的に縦方向把持部材として機能するように設置された全ての把持部材が許容される。
【００２１】
光源部は、把持部材における握り部分を避けて、縦方向の下端部に取り付けることが好ましいが、握りの支障とならない範囲で、把持部材の下部に取り付けることができる。
【００２２】
光源部は、把持部材の被設置面から離間して取り付けることが好ましいが、光源部自体は被設置面に接触または近接して取り付け、光源部の光源、反射鏡、遮光体等により光線が被設置面から離間するようにしてもよい。
【００２３】
光源部の光源は、放射光の指向性が高い発光ダイオードが好ましいが、クリプトン電球やハロゲン電球等の白熱電球、放電ランプ、さらにはＥＬ素子等で構成した面状光源であってもよい。
【００２４】
また、光源は、目的とする照明を得るために、レンズ、反射鏡、遮光体等を設けてスポット配光をなすようにしてもよい。
【００２５】
請求項２に記載の発明は、請求項１に記載の照明器具において、前記光源部は、光軸の傾き角度が可変となるように把持部材に取り付けられることを特徴とする。
【００２６】
光源部は、把持部材の長手方向に平行な鉛直線に対して所定の角度にわたって傾けることができるように取り付けられている。
【００２７】
さらに、把持部材の長手方向に平行な鉛直線を中心にして、３６０度の角度にわたり自由に回転ができるように取り付けてもよく、要は、光源部の光軸が可変できるように取り付けるための全ての手段が許容される。
【００２８】
請求項３に記載の発明は、請求項１または２に記載の照明器具において、前記光源部は、把持部材の被設置面から離間して把持部材に取り付けられることを特徴とする。
【００２９】
請求項４に記載の発明は、請求項１ないし３いずれか一に記載の照明器具において、前記光源部は、把持部材の長手方向に可動することを特徴とする。
【発明の効果】
【００３０】
請求項１の発明によれば、把持部材の被設置部分よりも下方から足元を照らす機能を有しているので、使用者に眩しさを感じさせないようにすることが可能となり、かつ安全な照明器具を提供することができる。
【００３１】
請求項２の発明によれば、光源部は、光軸の傾き角度が可変となるように把持部材に取り付けられるので、所望の足元位置を正確に照らすことが可能となる照明器具を提供することができる。
【００３２】
請求項３の発明によれば、光源部は、把持部材の被設置面から離間して把持部材に取り付けられるので、より確実に、足元を照らす機能を有すると共に、眩しさを感じさせないようにすることが可能となる照明器具を提供することができる。
【００３３】
請求項４の発明によれば、光源部は、把持部材の長手方向に可動するようにしたので、例えば、高さの異なるベッドに対しても所望の足元位置を正確に照らすことが可能となる照明器具を提供することができる。
【発明を実施するための最良の形態】
【００３４】
以下、本発明に係る照明器具の実施形態について説明する。
【実施例１】
【００３５】
図１〜図７は、本発明の第１実施形態の照明器具を示し、図１および図２は光源部を手摺に組み込んだ状態を示し、図１は一部を断面して示す正面図、図２は側面図、図３は光源部を取り付けた手摺を壁面に設置した状態を示す側面図、図４はベッドと光源部を取り付けた手摺の配置関係を示す図で、（ａ）は側面図、（ｂ）は上方から見た平面図、図５は療養室全体におけるベッドと光源部を取り付けた手摺の配置関係を示す上方から見た平面図、図６は変形例を示す図で、（ａ）は光源部を手摺の他の位置に取り付けた状態を示す側面図、（ｂ）は療養室全体において光源部を他の手摺やハンドルに取り付けた状態を示す斜視図、図７はさらに他の変形例を示す図で、（ａ）は光源部を手摺の上下方向に可動できるように構成した状態を示す側面図、（ｂ）は光源部と手摺をボールジョイントで取り付けた状態を一部を断面して示す正面図である。
【００３６】
本実施例の照明器具は、医療福祉施設の療養室に設置するために構成されたものである。
【００３７】
照明器具１０は、把持部材２０と光源部１１で構成される。
【００３８】
まず、光源部１１の構成につき、図１および図２に従い説明する。
【００３９】
光源部１１は、光源１２と、光源を収納する本体ケース１３で構成する。
【００４０】
光源１２は、発光ダイオード（以下「ＬＥＤ」と称す）で、本実施例ではＬＥＤの光学軸線ａ−ａに光線が主として放射される１個の白色ＬＥＤで構成する。
【００４１】
ＬＥＤ１２は、一次レンズを有するチップ素子を中心部にして円板状のプリント配線基板に実装されたもので、レンズ体１２ａの光入力端に挿入され、発光素子１２ｂを構成する。
【００４２】
上記に構成された発光素子１２ｂは、合成樹脂等からなる円筒状をなす遮光体１２ｃの内部に挿入し装着されて発光部１２ｄを構成する。発光部１２ｄは光が周囲方向に漏れないように、遮光体の略中間部分に装着され、レンズ体１２ａの前方に円筒状をなす遮光部分（シェード）１２ｅが構成されるように配置する。
【００４３】
これにより、ＬＥＤ１２を光源とする発光部１２ｄは、レンズ体１２ａおよび遮光体１２ｃにより、スポット配光がなされるように構成される。このスポット配光角θ１は、１５〜４５度が好ましい。
【００４４】
本体ケース１３は、発光素子１２ｂを装着した遮光体１２ｃを収納するもので、合成樹脂等からなる一端開放の円筒体からなり、開放部分に上記円筒状をなす遮光体１２ｃを挿入し、本体ケースの開放部分と遮光体の開放部分を合致させた状態で、ネジ等の固定手段、またはシリコーン樹脂等の耐熱性の接着剤を用いて固定する。遮光体１２ｃの開放部分は、透明なガラスまたは合成樹脂からなる透光板で閉塞してもよい。
【００４５】
これにより、本体ケース１３の円筒中心軸線が、ＬＥＤの光学軸線ａ−ａと一致し、光源部１１の光軸ｘ−ｘが構成される。
【００４６】
本体ケース１３の空間部分には、ＬＥＤの点灯回路を構成する構成部品１２ｅ等が内蔵されている。
【００４７】
１４は、本体ケース１３を後述する把持部材２０の下端部に取り付けるための取付部材で、本実施例では、本体ケース１３の他端部を半球状の球面体となして構成する。
【００４８】
上記により、本体ケース１３の円筒中心軸線を光源部１１の光軸ｘ−ｘとなし、一端にＬＥＤ１２を光源とした発光部１２ｄが構成され、他端に取付部材１４を有する光源部１１が構成される。
【００４９】
上記構成の光源部１１は、手摺２０の下端部に取り付けられて照明器具１０を構成する。
【００５０】
すなわち、手摺２０は、本発明の把持部材を構成するもので、強固な合成樹脂製のパイプで構成され、一端部に支持部２０ａを形成し、支持部から略直角方向に略Ｌ字状に曲げて握り部２０ｂを形成し、握り部の下端部に取付部２０ｃを残して、他方の支持部２０ｄを一体に形成し、全体として略Ｕ字形をなす手摺を構成する。
【００５１】
上記に構成された手摺２０には、光源部１１が取り付けられる。
【００５２】
すなわち、図１に示すように、手摺の握り部２０ｂの長手方向下端部に形成された取付部２０ｃは、断面円形をなす合成樹脂製パイプの断面の上半分が切り取られ、樋状をなす形状に構成されている。
【００５３】
この樋状をなす形状の取付部２０ｃに、本体ケース１３の他端部に形成された半球状の球面体からなる取付部材１４を嵌合し、軸ピン３０を手摺の取付部２０ｃの一方から器具本体の球面体を通し、さらに手摺の取付部２０ｃの他方に貫通させて軸支させる。
【００５４】
これにより、光源部１１が、手摺２０の下端部に、手摺の鉛直線ｚ−ｚ（壁面Ｃ）に対して、前後方向に所定の角度θ２にわたり回動できるように取り付ける。
【００５５】
角度θ２は、本実施例では手摺の鉛直線ｚ−ｚから約６０度の角度範囲にわたり回動できるように構成してあり、光源部１１を予め、角度θ２の範囲で軸ピン３０を中心にして回動させて、前方に向かい斜めに傾斜させて設置し、光源部１１のスポット配光が、ベッドに患者が腰掛けた状態で足元になる部分Ｄを照明するようにセットする。
【００５６】
次に、上記のように手摺２０に光源部１１がセットされた照明器具１０を療養室Ａの各ベッドに設置する。
【００５７】
図４に示すように、療養室Ａには、複数台のベッドＢが設置され、ベッドの頭部に近接する垂直な壁面Ｃに手摺２０を設置する。
【００５８】
手摺２０は、ベッド側面の延長線ｙ−ｙから離れた位置、すなわち、患者がベッドから起き上がり、ベッドに腰掛けた状態で足元になる位置Ｄまでの間隔寸法ｓを有して設置する。
【００５９】
手摺２０は、上述した位置に対応する壁面Ｃに、一方の支持部２０ａを上、他方の支持部２０ｄを下に配置し、握り部２０ｂの長手方向が壁面Ｃに沿った鉛直線ｚ−ｚ上に平行であり、かつベッド頭部に位置して縦形手摺となるように設置する。
【００６０】
これにより、患者がベッドから起き上がる際に、ベッド頭部に縦方向に設置された手摺の握り部２０ｂを手で握ることにより動作を助け、容易に起き上がれるようにする。
【００６１】
これにより、上記構成の照明器具１０が図５に示すように、療養室Ａに設置された複数台（本実施例では４台）のベッドＢに対応した壁面Ｃに、それぞれ縦方向に設置される。
【００６２】
なお、光源部１１の電源は、図示しないが、壁面Ｃ内から配線コードが引き込まれ、手摺２０の他方（下方）の支持部２０ｄ内を通し、本体ケース１３の半球状の球面体からなる取付部材１４の背面を通じて配線コードが本体ケース１３内に導入され、ＬＥＤ１２の点灯回路に供給される。
【００６３】
また、照明器具１０は、夜間の足元灯として使用するため、昼間および夜間に天井照明器具等のメーン照明が点灯中はＯＦＦ、夜間、メーン照明を消灯し、暗闇となるときにＯＮとなるように、照明制御装置などと連動して制御される。手動スイッチによるＯＮ・ＯＦＦでもよい。
【００６４】
上記により、療養室Ａの各ベッドＢの頭部に近接する壁面Ｃに、高さ寸法Ｈが約６００ｍｍ、支持部２０ａ、２０ｄの高さ寸法ｈが約１５０ｍｍの手摺２０が縦方向に設置され、この手摺の下部に長さ寸法Ｌが約１００ｍｍのスポット配光性能を有する光源部１１が設置された照明器具１０が構成される。
【００６５】
上記に構成された照明器具の作動につき説明する。
【００６６】
照明器具１０は、昼間および夜間に天井照明器具等のメーン照明が点灯中はＯＦＦとなっている。
【００６７】
夜間、療養室Ａが消灯時間となるとメーン照明が消灯され、光源部１１の発光部１２ｄが点灯し、ベッドＢ側面のベッドに患者が腰掛けた状態で足元になる部分Ｄを照明する。
【００６８】
この際、光源部１１は前方に向かい斜めに傾斜させてセットしてあるので、ＬＥＤ光源から放射される光は、ベッドに患者が腰掛けた状態で足元になる部分Ｄに向けて放射され、しかも光源部１１は、指向性が高いＬＥＤ１２を光源とし、レンズ体１２ａおよび遮光体１２ｃによりスポット配光で照射されるために、足元の床面にベッドの側面に沿って楕円形状の広い範囲Ｅ（図４（ｂ）中斜線部分）で照明することができ、必要な足元のみをベッドＢの側面に沿った広い範囲で照明する。このとき、ベッドＢの側方の床面はスポット配光で照射されるために、足元以外には光が届かず、就寝中の患者が眩しく感じることはない。
【００６９】
また、光源部１１は壁面Ｃから離れる方向に傾斜されてセットされ、さらに壁面Ｃから手摺の支持部２０ａ、２０ｄの高さ寸法ｈだけ、壁面から離間して設置されており、光が壁面に届くことが抑制され、壁面からも眩しさを感じることがない。
【００７０】
夜間、患者がトイレに行く際には、ベッド頭部の壁面に縦方向に設置された手摺の握り部２０ｂを手で握ることにより容易に起き上がることができ、ベッドに腰掛けた状態でスリッパが置かれているベッド側面の足元Ｄが確実に照明されている。
【００７１】
これにより患者はベッドから降りる前に、降りる箇所を目で確認しながら降りることができ、暗闇でつまずくようなことがなく安全にベッドから降りて立ち上がりトイレに行くことができる。
【００７２】
また、トイレから帰ってきたときも、同様にベッド側面の足元が確実に照明されており、足元を確認して、ベッドに腰掛ける所定の位置に安全に戻ることができる。
【００７３】
朝になって明るくなると、照明制御装置などと連動して各療養室の照明器具１０を一斉に消灯する。
【００７４】
また、患者の背丈等に合わせて、照射位置を変更する場合には、光源部１１の先端部分を把持し、鉛直線ｚ−ｚから約６０度の角度範囲にわたり角度を調整して必要な位置にセットする。この作業は、例えば、看護師もしくは患者が夜間の照明器具の点灯時に行う。
【００７５】
以上、本実施形態によれば、光源部１１は、ＬＥＤ１２を光源とし、レンズ体１２ａおよび遮光体１２ｃにより、スポット配光で照射するようにしたので、足元の床面にベッドＢの側面に沿って楕円形状の広い範囲Ｅで照明することができ、必要な足元のみを広い範囲で照明する足元灯としての機能を十分に果たすことができる。
【００７６】
特に、光源として放射光の指向性が高いＬＥＤ１２を使用しているので、より効果的なスポット配光が可能となると共に、光源部１１としても設置スペースの問題等の制約を受けない小型の光源部１１を提供することができ、手摺やハンドル等における小スペースの設置箇所であっても設置が可能となる。
【００７７】
また、本体ケース１３は、取付部材１４により光軸ｘ−ｘがの傾き角度が可変できるように把持部材２０に取り付けられるので、光源部１１は斜めに傾斜させてセットすることができ、スポット配光による楕円形状の広い配光範囲Ｅを確実に得ることができる。
【００７８】
また、スポット配光による楕円形状の配光範囲Ｅは、鉛直線ｚ−ｚから約６０度の角度範囲にわたり回動できるように構成してあるので、角度を調整して必要な位置に、必要な範囲をもって確実にセットすることができる。しかも、この作業は、この種の機器の扱いに慣れていない、例えば、患者本人、看護師等でも簡単かつ手軽に行うことができる。
【００７９】
さらに、スポット配光で照射されるために、必要な足元以外には光が届かず、就寝中の患者が眩しく感じることはない。
【００８０】
また、光源部１１は壁面Ｃから離れる方向に傾斜されてセットされ、さらに壁面から離間して設置されており、光が壁面に届くことが抑制され、壁面からも眩しさを感じることがない。
【００８１】
本体ケース１３は、取付部材１４により手摺２０の下部に取り付けられるので、光源部１１を部屋の下方に設置することができ、必要な足元のみをより確実に照らすことができると共に、より確実に眩しさを感じさせないようにすることができる。
【００８２】
同時に、手摺の握り部２０ｂから離間した位置に取り付けられるので、光源部１１が手摺を握る際に邪魔になることはなく、光源部１１が手摺としての機能を阻害することがない。
【００８３】
以上より、本来の足元灯としての機能を十分に果たしながら、患者に眩しさを感じさせない照明器具を提供することができると共に、手摺の機能を阻害しない照明器具を提供することができる。
【００８４】
また、特許文献２に示されるように、手摺自体に照明器具を設置し場合には、照明器具自体にも手摺の機能をもたせる必要があり、強固な照明器具を構成しなければならないが、本実施例によれば照明器具には手摺としての機能は持たせる必要はなく、強度を強固に構成する必要はなく、コスト的にも有利な照明器具を提供することができる。
【００８５】
また、手摺自体に照明器具を設置した場合には、万一の漏電等の発生時には、直接照明器具を握るために感電等の恐れが生じ安全面に対して問題があるが、本実施例によれば、手摺と照明器具は、全く別体に構成し、さらに光源部１１は、把持部材の手で直接握ることのない下端部に取り付けられているので、感電等の恐れもなく、安全性に優れた照明器具を提供することができる。
【００８６】
また、光源部１１の手摺２０への組み込み作業は、予め発光部１２ｄや点灯回路部１２ｅ等を組み立て光源部１１として完成したものを、単に、手摺の取付部２０ｃに嵌め込み、軸ピン３０を軸支させる簡単な作業で組み立てることができ、器具組立の作業性も、設置現場でも簡単に行うことができ、施工性に優れた照明器具を提供することができる。
【００８７】
本実施形態において、光源部１１を手摺の握り部２０ｂの下端部に形成された取付部２０ｃに取り付けたが、図６（ａ）に示すように、下方の支持部２０ｄに設けてもよい。
【００８８】
さらに、図６（ａ）に破線で示すように、握りの支障とならない範囲で握り部２０ｂの下端部に設けてもよい。
【００８９】
さらに、使用態様等に合わせて、上記の各設置位置に光源部１１を複数台設置してもよい。
【００９０】
また、図６（ｂ）に示すように、病室内を移動するために壁面Ｃに縦方向に設置された手摺５０でも、さらに病室の出入り口に近い壁面に縦方向に設置された手摺５１でもよい。さらに、病室等のドアｄに縦方向に設置されたハンドル５２でもよい。ドアｄは引き戸式でも回動による開閉式でもよい。
【００９１】
また、光源部１１を手摺２０の鉛直線ｚ−ｚ（壁面Ｃ）に対して、前後方向に所定の角度θ２にわたり回動できるように取り付けたが、床面高さ寸法が大きい全介助必要者用ベッド（約６００ｍｍ）や床面高さ寸法の小さい自立者用ベッド（約４５０ｍｍ）に合わせて、手摺の長手方向に沿って上下方向に可動できるようにしてもよい。
【００９２】
すなわち、図７（ａ）に示すように、軸ピン３０を軸支する孔を長孔３０ａに構成し、長孔３０ａに沿って本体ケース１３が移動できるように構成してもよい。
【００９３】
さらに、図７（ｂ）に示すように、手摺の取付部２０ｃに、球形をなす穴６０を形成し、本体ケース１３の他端部には、手摺の穴６０に合致する形状の球形のボール６１からなる取付部材１４を形成する。
【００９４】
この球形のボール６１を手摺側の穴６０に嵌合して、所謂ボールジョイントを構成し、光源部１１を手摺２０の鉛直線ｚ−ｚに対して３６０度の角度範囲にわたり自由な方向に回転できるように構成してもよい。
【００９５】
また、把持部材である手摺またはハンドルの握り部にタッチスイッチを設け、患者が手摺等を握った際に、光源部１１を自動的に点灯するように構成してもよい。
【００９６】
これによれば、病室の消灯後に、常時、足元灯としての照明器具１０を点灯しておく必要がなく、患者に対する眩しさ感をより効果的に防ぐことができると共に、省エネ効果を奏することとができる。
【００９７】
タッチスイッチの構成は、機械的なスイッチ構成としても、また人体の静電容量を検知する電子的なスイッチでもよい。さらにタッチスイッチに代えて、人体を感じる人体検知センサー等で構成してもよい。
【００９８】
また、タッチスイッチまたは人体検知センサー等で検知して、照明器具を点灯させる場合に、暗闇から瞬時に点灯させるのではなく、調光により徐々に明るさを増すようにソフトスタートに構成してもよい。
【００９９】
これにより、患者は暗闇で瞬時に眩しさを感じることがなく、就寝途中の患者の目を完全に覚ませるようなことを防ぐことも可能となる。
【０１００】
また、照明器具１０を、夜間、メーン照明を消灯し、暗闇となるときにＯＮとなるように照明制御装置などと連動して制御するようにしたが、看護師が部屋毎に、または看護師や患者が照明器具を個々に制御できるように、光源部１１自体にＯＮ・ＯＦＦスイッチを付加するようにしてもよい。さらに、明るさを検知するセンサーや、タイマー等により自動的に制御するようにしてもよい。
【０１０１】
光源部１１の光源であるＬＥＤ１２を白色ＬＥＤで構成したが、使用態様に応じ、赤色、緑色、青色等で発光するＬＥＤで構成してもよい。若しくはこれらを混合するなど、複数個で構成してもよい。
【０１０２】
光源部１１を、合成樹脂製パイプで構成され手摺２０に設置したが、金属製パイプや木製の手摺やハンドルに設置してもよい。
【０１０３】
上記実施例の照明器具は、医療福祉施設の療養室に設置するために構成したが、一般家庭、オフィス、ホテル等の施設、業務用の照明器具として構成してもよい。
【０１０４】
以上、本発明の好適な実施形態を説明したが、本発明は上述の実施例に限定されることなく、本発明の要旨を逸脱しない範囲内において、種々の設計変更を行うことができる。
【図面の簡単な説明】
【０１０５】
【図１】本発明の第１実施形態の照明器具を示し、光源部を手摺に組み込んだ状態を一部を断面して示す正面図。
【図２】同じく光源部を手摺に組み込んだ状態を示す側面図。
【図３】同じく光源部を取り付けた手摺を壁面に設置した状態を示す側面図。
【図４】同じくベッドと光源部を取り付けた手摺の配置関係を示す図で、（ａ）は側面図、（ｂ）は上方から見た平面図。
【図５】同じく療養室全体におけるベッドと光源部を取り付けた手摺の配置関係を示す上方から見た平面図。
【図６】同じく変形例を示す図で、（ａ）は光源部を手摺の他の位置に取り付けた状態を示す側面図、（ｂ）は療養室全体において光源部を他の手摺やハンドルに位置に取り付けた状態を示す斜視図。
【図７】同じくさらに他の変形例を示す図で、（ａ）は光源部を手摺の上下方向に可動できるように構成した状態を示す側面図、（ｂ）は光源部と手摺をボールジョイントで取り付けた状態を一部を断面して示す正面図。
【符号の説明】
【０１０６】
１０  照明器具
１１  光源部
２０  把持部材
【図１】
2008103149.tif 000003
【図２】
2008103149.tif 000004
【図３】
2008103149.tif 000005
【図４】
2008103149.tif 000006
【図５】
2008103149.tif 000007
【図６】
2008103149.tif 000008
【図７】
2008103149.tif 000009